(57)【要約】【課題】天井部に取り付けられたメンテナンス対象装置のメンテナンス作業をするときに取り外された締結部材を好適に保管することができる携帯保管装置を提供することである。【解決手段】メンテナンス対象装置のメンテナンス作業をするときに取り外された締結部材を一時的に保管する携帯保管装置１００であって、所定の深さを有する皿部１１０と、皿部１１０の開口１１２ａの一部を覆う蓋部１２０と、蓋部１２０が常時重力方向下側において皿部１１０の開口１１２ａの一部を覆うように、蓋部１２０の位置を自動的に移動調整する移動調整部と、皿部１１０に設けられ、メンテナンス作業を行う保守作業員の手首付近に取り付けるための取り付け部１４０と、を備える。【選択図】図４
2011235375.tif 000002
【特許請求の範囲】
【請求項１】
メンテナンス対象装置のメンテナンス作業をするときに取り外された締結部材を一時的に保管する携帯保管装置であって、
所定の深さを有する皿部と、
皿部の開口の一部を覆う蓋部と、
蓋部が常時重力方向下側において皿部の開口の一部を覆うように、蓋部の位置を自動的に移動調整する移動調整部と、
皿部に設けられ、メンテナンス作業を行う保守作業員の手首付近に取り付けるための取り付け部と、
を備えることを特徴とする携帯保管装置。
【請求項２】
請求項１に記載の携帯保管装置において、
移動調整部は、
皿部を周方向に回転可能な回転機構と、
蓋部が常時重力方向下側において皿部の開口の一部を覆うように、皿部を回転させるための錘部と、
を有することを特徴とする携帯保管装置。
【請求項３】
請求項１に記載の携帯保管装置において、
移動調整部は、
皿部の周方向に沿って蓋部の移動を案内するために形成された案内溝と、
蓋部に設けられ、蓋部が常時重力方向下側において皿部の開口の一部を覆うように、蓋部を移動させるための錘部と、
を有することを特徴とする携帯保管装置。
【請求項４】
請求項１から請求項３のいずれか１に記載の携帯保管装置において、
蓋部は、
皿部の開口を半ドーム型形状で覆うように湾曲した外形を有することを特徴とする携帯保管装置。
【請求項５】
請求項１から請求項４のいずれか１に記載の携帯保管装置において、
皿部は、
締結部材と磁気的に接続するために磁化された磁化部を有することを特徴とする携帯保管装置。
【請求項６】
請求項１から請求項５のいずれか１に記載の携帯保管装置において、
取り付け部は、
保守作業員の手首の周囲に巻きつける一対のバンド部と、
各バンド部の先端部にそれぞれ設けられ、相互に着脱可能な一対のマジックテープ部と、
を有することを特徴とする携帯保管装置。
【請求項７】
請求項１から請求項６のいずれか１に記載の携帯保管装置において、
蓋部は、
皿部の内部が視認可能なように透明材料で構成されていることを特徴とする携帯保管装置。
【請求項８】
請求項１から請求項７のいずれか１に記載の携帯保管装置において、
皿部の内部が締結部材の色が際立つ色で構成されていることを特徴とする携帯保管装置。
【発明の詳細な説明】
【技術分野】
【０００１】
本発明は、携帯保管装置に係り、特に、メンテナンス対象装置のメンテナンス作業をするときに取り外された締結部材を一時的に保管する携帯保管装置に関する。
【背景技術】
【０００２】
室内空間を快適にするために室内空調機が設けられており、例えば、室内の天井部において室内空調機が取り付けられていることがある。そして、当該室内空調機により室内の温度が適温となるように調整されている。
【０００３】
本発明に関連する技術として、例えば、特許文献１には、気体流れ調整機構として、気体の流路中に設けられ、柔軟性を有して形状の変更が可能な形状可変型ルーバと、形状可変型ルーバの一端側の位置を気体の流路に対して固定する固定端部と、形状可変型ルーバの他端側を固定端部に対して移動駆動し、形状可変型ルーバの流路中における形状を変更することで気体の流れを変更する駆動機構と、を備える構成が開示されている。
【０００４】
また、本発明に関連する別の技術として、例えば、特許文献２には、吸込口から空気を吸い込み、吸込口の周囲に配置される吹出口から空調された空気を吹き出す空調設備が開示されている。ここで、吸込口の周りに回転可能に配置される円環状の吹出パネルであって、外周部に複数の吹出口を有する吹出パネルと、吹出パネルを回転駆動するパネル駆動部と、吹出パネルの各吹出口のルーバにそれぞれ設けられ、ルーバの姿勢を変更することで吹出口の空気の風向を変更する複数のルーバ駆動部と、吹出パネルの回転駆動に関わらず、固定位置に設けられる制御部と、を備える構成が開示されている。そして、制御部は、吹出パネルの回転駆動を制御するパネル回転制御手段と、各ルーバの風向方向をそれぞれ変更させるように各ルーバ駆動部を制御するルーバ制御手段と、を備えることが述べられている。
【先行技術文献】
【特許文献】
【０００５】
【特許文献１】特開２００９−３０００４４号公報
【特許文献２】特開２０１０−４３７６５号公報
【発明の概要】
【発明が解決しようとする課題】
【０００６】
ところで、室内の天井部において設けられている室内空調機は、定期的に清掃や点検といったメンテナンス作業を行なう必要がある。当該メンテナンス作業を行なう際に、保守作業員は、室内空調機を天井部に取り付けるために用いる締結部材であるビスを緩めて、室内空調機を天井部から取り外すが、当該ビスを緩めてメンテナンス作業を行なう場合は天井部を向きながら上を向いた状態で、さらに両手で作業をしていることが多く、当該ビスの保管場所に困ることがある。
【０００７】
本発明の目的は、天井部に取り付けられたメンテナンス対象装置のメンテナンス作業をするときに取り外された締結部材を好適に保管することができる携帯保管装置を提供することである。
【課題を解決するための手段】
【０００８】
本発明に係る携帯保管装置は、メンテナンス対象装置のメンテナンス作業をするときに取り外された締結部材を一時的に保管する携帯保管装置であって、所定の深さを有する皿部と、皿部の開口の一部を覆う蓋部と、蓋部が常時重力方向下側において皿部の開口の一部を覆うように、蓋部の位置を自動的に移動調整する移動調整部と、皿部に設けられ、メンテナンス作業を行う保守作業員の手首付近に取り付けるための取り付け部と、を備えることを特徴とする。
【０００９】
また、本発明に係る携帯保管装置において、移動調整部は、皿部を周方向に回転可能な回転機構と、蓋部が常時重力方向下側において皿部の開口の一部を覆うように、皿部を回転させるための錘部と、を有することが好ましい。
【００１０】
また、本発明に係る携帯保管装置において、移動調整部は、皿部の周方向に沿って蓋部の移動を案内するために形成された案内溝と、蓋部に設けられ、蓋部が常時重力方向下側において皿部の開口の一部を覆うように、蓋部を移動させるための錘部と、を有することが好ましい。
【００１１】
また、本発明に係る携帯保管装置において、蓋部は、皿部の開口を半ドーム型形状で覆うように湾曲した外形を有することが好ましい。
【００１２】
また、本発明に係る携帯保管装置において、皿部は、締結部材と磁気的に接続するために磁化された磁化部を有することが好ましい。
【００１３】
また、本発明に係る携帯保管装置において、取り付け部は、保守作業員の手首の周囲に巻きつける一対のバンド部と、各バンド部の先端部にそれぞれ設けられ、相互に着脱可能な一対のマジックテープ部と、を有することが好ましい。
【００１４】
また、本発明に係る携帯保管装置において、蓋部は、皿部の内部が視認可能なように透明材料で構成されていることが好ましい。
【００１５】
また、本発明に係る携帯保管装置において、皿部の内部が締結部材の色が際立つ色で構成されていることが好ましい。
【発明の効果】
【００１６】
上記構成の携帯保管装置によれば、メンテナンス作業を行う保守作業員の手首付近に取り付けることができ、蓋部によって常時重力方向下側において皿部の開口の一部が覆われる。したがって、保守作業員が天井部に取り付けられたメンテナンス対象装置を取り外す場合に締結部材を緩め、当該締結部材を携帯保管装置に一時的に保管しつつ、天井部を向いたままの状態で、両手を使って作業を行なうことができる。
【図面の簡単な説明】
【００１７】
【図１】本発明に係る実施の形態において、天井部に取り付けられる室内空調機の冷房運転時の概略構成を示す断面図である。
【図２】本発明に係る実施の形態において、天井部に取り付けられる室内空調機の暖房運転時の概略構成を示す断面図である。
【図３】図１の点線Ｘで囲まれた部分の拡大図である。
【図４】本発明に係る実施の形態において、携帯保管装置を示す図である。
【図５】本発明に係る実施の形態において、保守作業員が携帯保管装置を用いて室内空調機のメンテナンス作業を行っている様子を示す図である。
【図６】本発明に係る実施の形態において、携帯保管装置の第１変形例を示す図である。
【図７】本発明に係る実施の形態において、携帯保管装置の第２変形例を示す図である。
【発明を実施するための形態】
【００１８】
以下では、全ての図面において同様の要素には同一の符号を付し、重複する説明を省略する。また、本文中の説明においては、必要に応じそれ以前に述べた符号を用いるものとする。
【００１９】
図１は、天井部２０に取り付けられる室内空調機１０の冷房運転時の概略構成を示す断面図であり、図２は、天井部２０に取り付けられる室内空調機１０の暖房運転時の概略構成を示す断面図である。
【００２０】
室内空調機１０は、水平な天井部２０に埋め込まれた状態で天井部２０に取り付けられるケース１６と、ケース１６の底面を覆うように設けられた下部パネル１８と、を有している。この下部パネル１８は、ビス２７を用いて、ケース１６の端部を介して天井部２０に取り付けられている。天井部２０と、下部パネル１８及びケース１６との取り付けについては後述する。
【００２１】
下部パネル１８には、空気が通過する通風口として、略四角形の第一通風口２２と第二通風口２４が設けられている。第一通風口２２は、下部パネル１８の中央の水平な面１８ａに向かって配置されており、この水平な面１８ａに対し垂直方向、すなわち鉛直方向に空気が通過するよう形成されている。一方、第二通風口２４は、第一通風口２２の外側において、下部パネル１８の二辺である下部パネル１８の端面１８ｂに沿うように配置されている。第二通風口２４が設けられる下部パネル１８の端面１８ｂは鉛直方向に対し傾斜しており、第二通風口２４は、この傾斜した端面１８ｂに対し垂直方向、すなわち鉛直方向に対し斜めに室内空気が通過するよう形成されている。第二通風口２４には、通過する空気の風向を調整するルーバー（図示せず）が設けられている。また、下部パネル１８には、図示しないフィルタが設けられており、当該フィルタが、室内空調機１０内部に吸い込まれる室内の空気に含まれる塵埃を除去する。
【００２２】
ケース１６内部には、中央にファン１２が設けられており、このファン１２の周囲には熱交換器１４と、これの下面にドレンパン３０が設けられている。ファン１２は、室内の空気を第一通風口２２と第二通風口２４の一方より吸い込み、熱交換器１４を通過させた後、他方の通風口より室内に吹き出す。熱交換器１４は、室外機（図示せず）から供給される冷媒とファン１２より供給される室内の空気の熱を交換する。熱の交換には冷媒の状態変化が利用され、熱交換器１４は低圧の液体冷媒が気化する際の吸熱作用により空気を冷却し、高圧の気体冷媒が液化する際の放熱作用により空気を加熱する。ドレンパン３０は、熱交換器１４において空気を冷却する際に発生する凝縮水を受け、この凝縮水を室内空調機１０に接続された排水管（図示せず）に排出する。ここで、室内空調機１０の冷房運転時には、図１に示されるように、第一通風口２２から吸い込んだ空気を熱交換器１４によって冷却した後に第二通風口２４から室内に吹き出す。また、室内空調機１０の暖房運転時には、図２に示されるように、第二通風口２４から吸い込んだ空気を熱交換器１４によって加熱した後に第一通風口２２から室内に吹き出す。
【００２３】
図３は、図１の点線Ｘで囲まれた部分の拡大図である。ケース１６は、天井部２０に対して図示しない締結部材を用いて取り付けられている。そして、下部パネル１８は、図３に示されるように、締結部材であるビス２７を締め付けて、当該ビス２７がケース１６を貫通して天井部２０に螺合することで、天井部２０に対して取り付けられる。なお、図１の点線Ｘで囲まれた部分と反対側に示されたビス２７についても同様に締め付けることで、当該ビス２７がケース１６を貫通して天井部２０に螺合し、下部パネル１８は、天井部２０に対して取り付けられる。
【００２４】
ここで、天井部２０に取り付けられている室内空調機１０はメンテナンス対象装置であり、定期的に清掃や点検といったメンテナンス作業を行なう必要がある。当該メンテナンス作業を行なう際に、保守作業員は、室内空調機１０を天井部２０に取り付けるために用いるビス２７を緩め、当該ビス２７を下部パネル１８から抜き取った後に、室内空調機１０の下部パネル１８を天井部２０から取り外すが、メンテナンス作業を行なう場合は天井部を向いた状態、換言すれば上を向いたままの状態で、さらに両手で作業をしていることが多く、抜き取られたビス２７の保管場所に困ることがある。
【００２５】
携帯保管装置１００は、室内空調機１０のメンテナンス作業を行なう際に、抜き取られたビス２７を一時的に保管するために用いられる装置である。図４は、携帯保管装置１００を示す図である。携帯保管装置１００は、皿部１１０と、蓋部１２０と、錘部１３０と、取り付け部１４０とを含んで構成される。
【００２６】
皿部１１０は、皿本体部１１２と、回転軸１１４と、回転土台部１１６とを含んで構成される。皿本体部１１２は、複数本のビス２７を収納可能な程度の内部容積を有する皿であり、所定の直径ｒの開口１１２ａを有し、所定の深さである深さｄを有する皿である。皿本体部１１２の底面１１２ｂは、ビス２７と磁気的に接続するために磁化されている。なお、皿本体部１１２の底面１１２ｂ以外の内側壁面も磁化されてビス２７と磁気的に接続されるものであってもよい。
【００２７】
回転土台部１１６は、その下部には取り付け部１４０が取り付けられ、その上部において中心部分には、回転軸１１４が矢印Ａ方向あるいは矢印Ａ方向と反対方向に回転可能に取り付けられる略円柱形状の部材である。
【００２８】
回転軸１１４は、回転土台部１１６の中心部分において、回転土台部１１６に対して矢印Ａ方向あるいは矢印Ａ方向と反対方向に回転するための回転軸である。回転軸１１４の端部のうち、回転土台部１１６に回転可能に取り付けられる側の端部と反対側の端部には皿本体部１１２が固定されている。このように、回転軸１１４と回転土台部１１６によって皿本体部１１２を矢印Ａ方向あるいは矢印Ａ方向と反対方向に回転可能な状態とする回転機構を構成している。
【００２９】
蓋部１２０は、皿本体部１１２の開口１１２ａの一部を覆うための部材であり、図４に示されるように略三日月形状を有している。保守作業員が皿本体部１１２の内部に手を挿入し易いように、開口１１２ａの開口面積のうち蓋部１２０の面積が占める割合は２０％〜３０％程度であることが好ましい。
【００３０】
錘部１３０は、蓋部１２０の円弧側中心部付近に取り付けられる錘部材であって、保守作業員が携帯保管装置１００を手に取り付けて作業を行う際に、錘部１３０の重力によって回転軸１１４が回転する。そして、錘部１３０は、蓋部１２０が常時重力方向下側において皿部１１０の開口１１２ａの一部を覆うように、蓋部１２０の位置を錘部１３０の重力を利用して自動的に移動調整させることが可能な程度の重量の錘部材である。なお、錘部１３０は、蓋部１２０に取り付けられるものとして説明したが、錘部１３０の重力によって回転軸１１４が回転し、蓋部１２０が常時重力方向下側において皿部１１０の開口１１２ａの一部を覆うように、蓋部１２０の位置を錘部１３０の重力を利用して自動的に移動調整させることが可能なように皿本体部１１２に取り付けられてもよい。
【００３１】
取り付け部１４０は、一対のバンド部１４２と、一対のマジックテープ部１４４とを含んで構成される。一対のバンド部１４２は、保守作業員の手首の周囲に巻きつけることができる程度の長さを有するバンド部材であり、手触りのよい素材を用いて構成することができる。一対のマジックテープ部１４４は、一対のバンド部１４２の先端部にそれぞれ設けられ、一対のバンド部１４２を保守作業員の手首に巻きつけたときに、相互に着脱可能であるマジックテープである。
【００３２】
上記構成の携帯保管装置１００の作用について図１〜図５を用いて説明する。図５は、保守作業員５が携帯保管装置１００を用いて室内空調機１０のメンテナンス作業を行っている様子を示す図である。天井部２０に取り付けられている室内空調機１０は、定期的に清掃や点検といったメンテナンス作業を行なう必要がある。そして、メンテナンス作業を行なう際に、最初に、保守作業員５は、一対のバンド部１４２を手首の周囲に巻きつけて、一対のマジックテープ部１４４を相互に密着する状態として、携帯保管装置１００を手首に取り付ける。そして、室内空調機１０を天井部２０に取り付けるために用いるビス２７を緩めて、当該ビス２７を抜き取った後に、そのビス２７を携帯保管装置１００の皿部１１０の内部に収納する。
【００３３】
このとき、皿部１１０の皿本体部１１２の底面１１２ｂは、ビス２７を磁気的に接続されるために磁化されているため、ビス２７をくっ付けることができる。そして、蓋部１２０には、錘部１３０が設けられている。このため、錘部１３０の重力により、図５に示されるように蓋部１２０が重力方向Ｇの下側において皿部１１０の開口１１２ａの一部を覆うように、皿部１１０が回転軸１１４を軸として矢印Ａ方向あるいは矢印Ａ方向と反対方向に回転する。このように、錘部１３０の重力により、蓋部１２０の位置が自動的に移動調整されるため、保守作業員５が手を動かした場合であっても、常に蓋部１２０が重力方向Ｇの下側において皿部１１０の開口１１２ａの一部を覆うようになる。
【００３４】
そして、蓋部１２０が常時重力方向Ｇの下側において皿部１１０の開口１１２ａの一部を覆っているため、保守作業員５が作業を行っている場合に、例えば、皿本体部１１２の底面１１２ｂとビス２７の磁気的な接続力が弱まって離れてしまった場合であっても、蓋部１２０によってキャッチされるため、携帯保管装置１００からビス２７が落ちてしまうことが防止される。また、蓋部１２０は、皿部１１０の開口１１２ａの一部だけを覆っているため、保守作業員５は、皿部１１０の内部に対してビス２７の出し入れ作業も行いやすいという効果もある。このように、室内空調機１０のメンテナンス作業を行なう際に、携帯保管装置１００を用いることで、抜き取られたビス２７を好適に一時的に保管することができる。
【００３５】
次に、携帯保管装置１００の第１変形例である携帯保管装置１０１について説明する。携帯保管装置１０１と携帯保管装置１００の相違は、蓋部１２１だけであるため、その相違点のみを中心に説明する。図６は、携帯保管装置１０１を示す図である。
【００３６】
蓋部１２１は、皿本体部１１２の開口１１２ａの一部を覆うための部材である。蓋部１２１は、上面視において略三日月形状を有している。さらに、蓋部１２１は、図６に示されるように皿本体部１１２の開口１１２ａから湾曲して盛り上がった形状、換言すれば半ドーム型形状を有し、皿本体部１１２の開口１１２ａの一部を覆っている。また、蓋部１２１は、保守作業員が皿本体部１１２の内部に手を挿入し易いように、開口１１２ａの開口面積のうち蓋部１２１の面積（上面視の面積）が占める割合は２０％〜３０％程度であることが好ましい。
【００３７】
続いて、携帯保管装置１０１の作用について図６を用いて説明する。携帯保管装置１０１も携帯保管装置１００と同様に、室内空調機１０のメンテナンス作業を行なう際に、抜き取られたビス２７を好適に一時的に保管することができる。さらに、携帯保管装置１０１の蓋部１２１は、図６に示されるように半ドーム型形状の外形を有しているため、保守作業員は、さらに、皿本体部１１２の内部に手を挿入し易く、スムーズにビス２７の出し入れを行うことができる。
【００３８】
次に、携帯保管装置１００の第２変形例である携帯保管装置１０２について説明する。携帯保管装置１０２と携帯保管装置１００の相違は、蓋部１２２と皿部１１３のみであるため、その相違点を中心に説明する。図７は、携帯保管装置１０２を示す図である。
【００３９】
皿部１１３は、複数本のビス２７を収納可能な程度の内部容積を有する皿であり、所定の直径ｒの開口１１３ａを有し、所定の深さである深さｄを有する皿である。皿部１１３の底面１１３ｂは、ビス２７と磁気的に接続するために磁化されている。なお、皿部１１３の底面１１３ｂ以外の内側壁面も磁化されてビス２７と磁気的に接続されるものであってもよい。また、皿部１１３には、開口１１３ａと底面１１３ｂとの間において、開口１１３ａの近傍に、皿部１１３の周方向に沿った蓋部１２２の移動を案内するための案内溝１１３ｃが形成されている。
【００４０】
蓋部１２２は、皿部１１３の開口１１３ａの一部を覆うための部材であり、図７に示されるように略三日月形状を有している。蓋部１２２は、その円弧部分が案内溝１１３ｃに緩やかに嵌合される。そして、錘部１３０の重力により蓋部１２２が案内溝１１３ｃに沿って案内され、蓋部１２２が重力方向下側において皿部１１３の開口１１３ａの一部を覆うように、蓋部１２２の位置が自動的に移動調整されることとなる。また、保守作業員が皿部１１３の内部に手を挿入し易いように、開口１１３ａの開口面積のうち蓋部１２２の面積が占める割合は２０％〜３０％程度であることが好ましい。
【００４１】
続いて、携帯保管装置１０２の作用について図７を用いて説明する。携帯保管装置１００では、上述したように、皿部１１０の回転機構により皿本体部１１２が回転することで、蓋部１２０が重力方向下側において皿部１１０の開口１１２ａの一部を覆うように、蓋部１２０の位置を自動的に調整していたが、携帯保管装置１０２では錘部１３０の重力によって蓋部１２２自体が皿部１１３の案内溝１１３ｃによって案内移動され、蓋部１２２が重力方向下側において皿部１１３の開口１１３ａの一部を覆うようになる。したがって、携帯保管装置１０２によっても携帯保管装置１００と同様に、室内空調機１０のメンテナンス作業を行なう際に、抜き取られたビス２７を好適に一時的に保管することができる。
【００４２】
なお、携帯保管装置１００，１０１，１０２では、蓋部１２０，１２１，１２２は、皿部１１０，１１３の内部が視認可能なように透明材料で構成してもよい。これにより、保守作業員は、皿部１１０，１１３の内部で収納されたビス２７の位置を容易に確認することができる。
【００４３】
また、携帯保管装置１００，１０１，１０２の皿部１１０，１１３の内部の面をビス２７の色が際立つ色で構成してもよい。例えば、ビス２７の色がメタリック系の色で構成されている場合には、携帯保管装置１００，１０１，１０２の皿部１１０，１１３の内部の面を黄色や橙色等といったビス２７の色と対照的な色で構成する。これにより、保守作業員は、皿部１１０，１１３の内部で収納されたビス２７の位置を容易に確認することができる。
【符号の説明】
【００４４】
５  保守作業員、１０  室内空調機、１２  ファン、１４  熱交換器、１６  ケース、１８  下部パネル、１８ａ  面、１８ｂ  端面、２０  天井部、２０ａ  開口部、２２  第一通風口、２４  第二通風口、２７  ビス、３０  ドレンパン、１００，１０１，１０２  携帯保管装置、１１０  皿部、１１２  皿本体部、１１２ａ  開口、１１２ｂ  底面、１１３  皿部、１１３ａ  開口、１１３ｂ  底面、１１３ｃ  案内溝、１１４  回転軸、１１６  回転土台部、１２０，１２１，１２２  蓋部、１３０  錘部、１４０  取付け部、１４２  バンド部、１４４  マジックテープ部。
【図１】
2011235375.tif 000003
【図２】
2011235375.tif 000004
【図３】
2011235375.tif 000005
【図４】
2011235375.tif 000006
【図５】
2011235375.tif 000007
【図６】
2011235375.tif 000008
【図７】
2011235375.tif 000009